(57)【要約】【課題】  従来の着脱はローラー等でネジを狭持するもので、全ネジ着脱ソケット（電動）がありますが、多少強く入ってしまった時にネジ山が破損する問題点がある。また、手動によりダブルナットで締結する方法もあるが、取外す場合ペンチ・プライヤー等を用いるのでネジ山の破損を生じる。【解決手段】  本発明は、雌ネジ付きソケットに嵌合蓋を形成し、この嵌合蓋内周面の雌ネジで、全ネジ部材のネジ山に接触させ摩擦力で固定し電動工具または、手動工具を用いて正転・逆転操作することで、全ネジ部材のネジ山を破損することなく容易に着脱できるような全ネジ着脱ソケットレンチと全ネジ着脱用ソケットである。【選択図】図１
2008194812.tif 000002
【特許請求の範囲】
【請求項１】
円筒形状を有するソケットレンチで、この円筒形状の内周面を形成する雌ネジと、前記円筒形状の外周面に長方形状に形成された貫通口と、この貫通口に嵌込まれる内周面に雌ネジを設けた嵌合蓋と、前記円筒形状の雌ネジ底部にネジ山の喰込みを防止する凸部と、前記円筒形状の外周面に係合する前記嵌合蓋より拡大された貫通口を備えた板状からなる係合リングと、を有することを特徴とする全ネジ着脱用ソケットレンチ。
【請求項２】
六角形状を有するソケットで、この六角形状の内周面を形成する雌ネジと、前記六角形状の外周面に長方形状に形成された貫通口と、この貫通口に嵌込まれる内周面に雌ネジを設けた嵌合蓋を有し、前記六角形状の外周面に係合させ前記嵌合蓋を押圧する板状からなる係合リングと、を有することを特徴とする全ネジ着脱用ソケット。
【請求項３】
六角形状を有するソケットで、この六角形状の内周面を形成する雌ネジと、前記六角形状の外周面に長方形状に形成された貫通口と、この貫通口に嵌込まれる内周面に雌ネジを設けた嵌合蓋と、前記六角形状の雌ネジ底部にネジ山の喰込み防止する凸部と、を有することを特徴とする全ネジ着脱用ソケット。
【請求項４】
六角形状を有するソケットで、この六角形状の内周面を形成する雌ネジと、この雌ネジ底部にネジ山の喰込みを防止する凸部と、を有することを特徴とする全ネジ着脱用ソケット。
【請求項５】
請求項３と請求項４に記載の全ネジ着脱用ソケットを一体に形成されることを特徴とする全ネジ着脱用ソケット。
【発明の詳細な説明】
【技術分野】
【０００１】  本発明は、全ネジを着脱できるソケットに関するものである。
【背景技術】
【０００２】  従来の着脱はローラー等でネジを狭持するもので、全ネジ着脱ソケット（電動）がありますが、多少強く入ってしまった時にネジ山が破損する問題点があります。【０００３】  また、手動によりダブルナットで締結する方法もあるが、ペンチ・プライヤー等で取外す方法なのでネジ山の破損を生じる。
【特許文献１】  特開２００１−１７９５５２公報
【発明の開示】
【発明が解決しようとする課題】
【０００４】  上記記載による従来の問題点を解決し、ネジ山の破損を生じることなく容易に着脱できるようなソケットレンチとソケットを提供する。
【課題を解決するための手段】
【０００５】  上記課題を解決するために、本発明は次のような構成とする。
請求項１に記載の発明は、円筒形状を有するソケットレンチで、この円筒形状の内周面を形成する雌ネジと、前記円筒形状の外周面に長方形状に形成された貫通口と、この貫通口に嵌込まれる内周面に雌ネジを設けた嵌合蓋と、前記円筒形状の雌ネジ底部にネジ山の喰込みを防止する凸部と、前記円筒形状の外周面に係合する前記嵌合蓋より拡大された貫通口を備えた板状からなる係合リングと、を有することを特徴とする全ネジ着脱用ソケットレンチである。
請求項２に記載の発明は、六角形状を有するソケットで、この六角形状の内周面を形成する雌ネジと、前記六角形状の外周面に長方形状に形成された貫通口と、この貫通口に嵌込まれる内周面に雌ネジを設けた嵌合蓋を有し、前記六角形状の外周面に係合させ前記嵌合蓋を押圧する板状からなる係合リングと、を有することを特徴とする全ネジ着脱用ソケットである。【０００６】  請求項３に記載の発明は、六角形状を有するソケットで、この六角形状の内周面を形成する雌ネジと、前記六角形状の外周面に長方形状に形成された貫通口と、この貫通口に嵌込まれる内周面に雌ネジを設けた嵌合蓋と、前記六角形状の雌ネジ底部にネジ山の喰込み防止する凸部と、を有することを特徴とする全ネジ着脱用ソケットである。
請求項４に記載の発明は、六角形状を有するソケットで、この六角形状の内周面を形成する雌ネジと、この雌ネジ底部にネジ山の喰込みを防止する凸部と、を有することを特徴とする全ネジ着脱用ソケットである。
請求項５の発明は、請求項２と請求項３に記載の全ネジ着脱用ソケットを一体に形成されることを特徴とする全ネジ着脱用ソケットである。
【発明の効果】
【０００７】  請求項１に記載の発明は、円筒形状を有するソケットレンチで、この円筒形状の内周面を形成する雌ネジと、前記円筒形状の外周面に長方形状に形成された貫通口と、この貫通口に嵌込まれる内周面に雌ネジを設けた嵌合蓋と、前記円筒形状の雌ネジ底部にネジ山の喰込みを防止する凸部と、前記円筒形状の外周面に係合する前記嵌合蓋より拡大された貫通口を備えた板状からなる係合リングと、を有することを特徴とする全ネジ着脱用ソケットレンチであり、前記係合リングの貫通口を前記嵌合蓋の位置より回転させ移動することで、前記嵌合蓋を押圧するので全ネジ部材にネジ山の接触面積を大きくさせ、摩擦力で固定することでネジ山を破損することなく着脱操作が可能となる。また、全ネジ着脱用ソケットレンチを複数設け交換することで、複数の規格の全ネジ類（ボルト等）に適応することができる。よって、電動工具を用いて正転・逆転操作することで容易に全ネジ部材より着脱できる。【０００８】  請求項２に記載の発明は、六角形状を有するソケットで、この六角形状の内周面を形成する雌ネジと、前記六角形状の外周面に長方形状に形成された貫通口と、この貫通口に嵌込まれる内周面に雌ネジを設けた嵌合蓋を有し、前記六角形状の外周面に係合させ前記嵌合蓋を押圧する板状からなる係合リングと、を有することを特徴とする全ネジ着脱用ソケットであり、前記六角形状の雌ネジ底部が開口となっているので全ネジ部材に螺合して移動できる。故に、全ネジ・ボルト類に従来品の電動ソケットレンチ或いは手動工具（ラチェット・スパナ類）で締結後、前記係合リングを前記六角形状の外周面に嵌合することで、弛み防止の用途や接続部材としてジョイント部分（配管・ネジ等の継手類）にも使用できる。また、全ネジ部材に前記嵌合蓋のネジ山の接触面積を大きくさせ、摩擦力で固定することでネジ山を破損することなく締結できる。【０００９】  請求項３に記載の発明は、六角形状を有するソケットで、この六角形状の内周面を形成する雌ネジと、前記六角形状の外周面に長方形状に形成された貫通口と、この貫通口に嵌込まれる内周面に雌ネジを設けた嵌合蓋と、前記六角形状の雌ネジ底部にネジ山の喰込み防止する凸部と、を有することを特徴とする全ネジ着脱用ソケットであり、従来品の電動ソケットレンチ或いは手動工具（ラチェット・スパナ類）で、全ネジ着脱用ソケットを複数設けて交換することで、複数の規格の全ネジ類（ボルト等）に適応することができる。よって、前記ソケットに電動工具を用いて正転・逆転操作することで容易に全ネジ部材に着脱できる。従って、全ネジ部材に前記嵌合蓋のネジ山の接触面積を大きくさせ、摩擦力で固定することでネジ山を破損することなく締結できる。【００１０】  請求項４に記載の発明は、六角形状を有するソケットで、この六角形状の内周面を形成する雌ネジと、この雌ネジ底部にネジ山の喰込みを防止する凸部と、を有することを特徴とする全ネジ着脱用ソケットであり、従来品の電動ソケットレンチ或いは、手動工具（ラチェット・スパナ類）で取付け専用である。また、全ネジ着脱用ソケットを複数設けて交換することで、複数の規格の全ネジ類（ボルト等）に適応することができる。よって、前記ソケットに電動���具を用いて正転・逆転操作することで容易に全ネジ部材に着脱できる。なお、本発明は締結専用であり全ネジ部材より取外すときには、請求項２・３・５に記載の全ネジ着脱用ソケットを使用する。【００１１】  請求項５に記載の発明は、請求項３と請求項４に記載の全ネジ着脱用ソケットが一体に形成されることを特徴とする全ネジ着脱用ソケットであり、全ネジ部材に取付けるときに請求項４の全ネジ着脱ソケットを用い、取外すときに請求項３の全ネジ着脱ソケットを使用する。【００１２】  その他の使用用途としては、天井吊りボルト・型枠フォームタイ・軸足ネジ等やビス類・ボルト頭部が締結中に破損した場合に取外すこともできる。以上、上記記載の材質・形状に関しては、特別限定するものではない。
【発明を実施するための最良の形態】
【００１３】  以下、本発明の実施の形態について、図面を参照しながら説明する。
（実施形態１）  図１に実施形態に係る円筒形状を有するソケットレンチの斜視図である。円筒形状を有するソケットレンチＡは、円筒形状１ａの内周面に雌ネジ２を形成し、円筒形状１ａの外周面に長方形状に貫通口３ａを形成して、貫通口３ａの軸方向の左右両端面に突起部４を設け、貫通口３ａに嵌込まれる長方形状で内周面にネジ山の接触面積を大きくするため拡幅・拡長を寸法調整した雌ネジ５を有する嵌合蓋６の、左右両端面に貫通口３ａに設けた突起部４と係合できる長穴溝７と、全ネジ部材が前記ソケットレンチＡに螺合する際に、嵌合蓋６が抵抗なく上下にスライドできるよう螺合部に傾斜面８を設け、挿入を容易にできるように形成してある。即ち、円筒形状１ａの外周面に長方形状に形成された貫通口３ａと、雌ネジ２底部にネジ山の喰込みを防止する凸部９と、嵌合蓋６の内周面に設けた雌ネジ５のネジ山で全ネジ部材に接触面積を大きくさせ、摩擦力で固定するように形成した。従って、従来の電動工具で全ネジ着脱用ソケットレンチを正転・逆転の着脱操作する際に、円筒形状１ａの外周面に係合される嵌合蓋６より拡大された貫通口３ｂを備えた板状からなる係合リング１０ａを、貫通口３ｂ以外の位置に回転させて嵌合蓋６を押圧するので着脱操作が容易にできる。【００１４】（実施形態２）  図２に実施形態に係る六角形状を有するソケットの斜視図である。六角形状を有するソケットＢは、六角形状１ｂの内周面に雌ネジ２を形成し、六角形状１ｂの外周面に長方形状に貫通口３ａを形成して、貫通口３ａの軸方向の左右両端面に突起部４を設け、貫通口３ａに嵌込まれる内周面にネジ山の接触面積を大きくするため拡幅・拡長を寸法調整した雌ネジ５を有する嵌合蓋６の、左右両端面に貫通口３ａに設けた突起部４と係合できる長穴溝７と、全ネジ部材が前記ソケットＢに螺合する際に、嵌合蓋６が抵抗なく上下にスライドできるよう螺合部に傾斜面８を設け、挿入を容易にできるように形成してある。即ち、六角形状１ｂの外周面に長方形状に形成された貫通口３ａと、嵌合蓋６の内周面に設けた雌ネジ５のネジ山で全ネジ部材に接触面積を大きくさせ、摩擦力で固定するようにし雌ネジ２底部を開口するように形成した。従って、全ネジ着脱用ソケットを正転・逆転の着脱操作する際に、六角形状１ｂ外周面の貫通口３ａに係合される嵌合蓋６に押圧の係らない外周面に、手動工具を係合し回転させて全ネジ部材を所定位置に移動させ締結することができる。その後、板状からなる係合リング１０ｂを嵌合蓋６外周面に係合することで全ネジ部材より弛み防止することができる。また、前記係合リング１０ｂを前記外周面より取外し、従来品の電動工具或いは、手動工具を嵌込んで着脱操作もできる。【００１５】（実施形態３）  図３に実施形態に係る六角形状を有するソケットの斜視図である。六角形状を有するソケットＣは、六角形状１ｂの内周面に雌ネジ２を形成し、六角形状１ｂの外周面に長方形状に貫通口３ａを形成して、貫通口３ａの軸方向の左右両端面に突起部４を設け、貫通口３ａに嵌込まれる長方形状で内周面にネジ山の接触面積を大きくするため拡幅・拡長を寸法調整した雌ネジ５を有する嵌合蓋６の、左右両端面に貫通口３ａに設けた突起部４と係合できる長穴溝７と、全ネジ部材が前記ソケットＣに螺合する際に、嵌合蓋６が抵抗なく上下にスライドできるよう螺合部に傾斜面８を設け、挿入を容易にできるように形成してある。即ち、六角形状１ｂの外周面に長方形状に形成された貫通口３ａと、雌ネジ２底部にネジ山の喰込みを防止する凸部９と、嵌合蓋６の内周面に設けた雌ネジ５のネジ山で全ネジ部材に接触面積を大きくさせ、摩擦力で固定するように形成した。従って、全ネジ着脱用ソケットを正転・逆転の着脱操作する際に、従来品の電動工具或いは、手動工具を六角形状１ｂの外周面に嵌込むことで嵌合蓋６を押圧するので着脱操作が容易にできる。【００１６】（実施形態４）  図４に実施形態に係る六角形状を有するソケットの斜視図である。六角形状を有するソケットＤは、六角形状１ｂの内周面に雌ネジ２と、六角形状１ｂの雌ネジ２底部にネジ山の喰込みを防止する凸部９を形成する。また、全ネジ着脱用ソケットを着脱操作する際に、従来品の電動工具或いは、手動工具を六角形状１ｂの外周面に嵌込み全ネジ部材を締結する。なお、取外す場合には、請求項２・３・５の全ネジ着脱用ソケットを使用する。【００１７】（実施形態５）  図５に実施形態に係る請求項３と請求項４に記載の全ネジ着脱用ソケットが一体に形成された斜視図である。六角形状を有するソケットＥは、六角形状１ｂの内周面に雌ネジ２を形成し、六角形状１ｂの外周面に長方形状に形成された貫通口３ａと、貫通口３ａの軸方向の左右両端面に突起部４を設け、貫通口３ａに嵌込まれる長方形状で内周面にネジ山の接触面積を大きくするため拡幅・拡長を寸法調整した雌ネジ５を有する嵌合蓋６の、左右両端面に貫通口３ａに設けた突起部４と係合できる長穴溝７と、全ネジ部材が前記ソケットＥに螺合する際に、嵌合蓋６が抵抗なく上下にスライドできるよう螺合部に傾斜面８を設け、挿入を容易にできるように形成してある。即ち、六角形状１ｂの外周面に長方形状に形成された貫通口３ａと、雌ネジ２底部にネジ山の喰込みを防止する凸部９と、嵌合蓋６の内周面に設けた雌ネジ５のネジ山で全ネジ部材に接触面積を大きくさせ、摩擦力で固定するように形成した。従って、この全ネジ着脱用ソケットと、六角形状１ｂの内周面を形成する雌ネジ２と、六角形状１ｂの雌ネジ２底部にネジ山の喰込みを防止する凸部９を形成する全ネジ着脱用ソケットを、一体とした全ネジ着脱用ソケットである。なお、全ネジ着脱用ソケットを正転・逆転の着脱操作する際に、従来品の電動工具或いは、手動工具を六角形状１ｂの外周面に嵌込むことで嵌合蓋６を押圧できるので、六角形状頭部に取付け取外しの際、交互に嵌込み全ネジ部材を着脱できる。
【図面の簡単な説明】
【００１８】
【図１】  円筒形状を有するソケットレンチＡの斜視図である。
【図２】  六角形状を有するソケットＢの斜視図である。
【図３】  六角形状を有するソケットＣの斜視図である。
【図４】  六角形状を有するソケットＤの斜視図である。
【図５】  六角形状を有するソケットＥの斜視図である。
【図６】  六角形状を有するソケットと嵌合蓋の取付け要部詳細図である。（円筒形状を有するソケットレンチの嵌合蓋もこの図に準ずる）
【符号の説明】
【００１９】Ａ    ソケットレンチ
Ｂ、Ｃ、Ｄ、Ｅ    ソケット
１ａ    円筒形状
１ｂ    六角形状
２    雌ネジ
３ａ、３ｂ    貫通口
４    突起部
５    雌ネジ
６    嵌合蓋
７    長穴溝
８    傾斜面
９    凸部
１０ａ、１０ｂ    係合リング
【図１】
2008194812.tif 000003
【図２】
2008194812.tif 000004
【図３】
2008194812.tif 000005
【図４】
2008194812.tif 000006
【図５】
2008194812.tif 000007
【図６】
2008194812.tif 000008